(57)【要約】【課題】任意の外径のホースを材料に無駄が生じることなく締付固定することができる、ホースバンド固定装置を提供する。【解決手段】ウォーム溝を備えた長尺のバンド１３を収容し、該バンドをウォーム溝と噛み合って送るクランプネジ２３と、該クランプネジを正逆回転させるモータ２４とを備えたバンド収容具２１と、バンドの先端１３ａを下層に、ホース１２を周回したバンド１３を上層に挿通が可能で、上層のバンドのウォーム溝と噛み合ってバンドを送るクランプネジ１５を備えたクランプ金具１４と、バンド収容具２１のクランプネジ２３とクランプ金具１４のクランプネジ１５とを連結する連結具２５とを備えた。クランプネジ２３とクランプネジ１５とは連結具２５により同期回転してバンド１３を前進または後進させ、バンドによりホース１２を締付固定し、引き出したバンドをバンド収容具２１内に巻き戻す。【選択図】図１
2010281354.tif 000002
【特許請求の範囲】
【請求項１】
ウォーム溝を備えた長尺のバンドを収容し、該バンドを前記ウォーム溝と噛み合って送るクランプネジと、該クランプネジを正逆回転させるモータとを備えたバンド収容具と、
前記バンドの先端を下層に、ホースを周回した前記バンドを上層に挿通が可能で、上層の前記バンドのウォーム溝と噛み合って前記バンドを送るクランプネジを備えたクランプ金具と、
前記バンド収容具のクランプネジと、前記クランプ金具のクランプネジとを連結する連結具と、を備えたホースバンド固定装置。
【請求項２】
前記クランプ金具内に下面に歯を備えた板を配置し、該歯が前記バンドの先端のウォーム溝と噛み合うことで、前記バンドの先端を前記クランプ金具に固定する、請求項１に記載のホースバンド固定装置。
【発明の詳細な説明】
【技術分野】
【０００１】
本発明は、例えば金属パイプ等の配管外周にゴム等のホース内周を被覆し、その外周をホースバンドで締め付け、ホースを配管に固定するホースバンド固定装置に関する。
【背景技術】
【０００２】
従来から、工場等では各種配管のゴムホース等の接続部で、その外周をホースバンドで締付固定することが行われている。係るホースバンドは、ウォーム溝を備えた金属帯材のバンドの一端を予めクランプ金具にネジ止め等で固定し、バンドの他端をクランプ金具内に挿通して、クランプ金具内のクランプネジのウォーム歯と噛み合せ、リング状のバンドを形成したものである。リング状のバンドの内径がホースの外径よりも少し大きく形成されていて、クランプ金具内のウォーム歯を備えたクランプネジを回転することで、バンドを前進させ、バンドを締め付けることで、バンドでホースを配管端部に固定する。
【特許文献１】特開２００７−３３３０７８号公報
【０００３】
バンドで固定するホースの外径は、様々であり、ホースの凡その外径に合わせたホースバンドが市販されている。従って、その中から現場のホースの外径に合わせたものを選択し、現場に持参して施工にあたるのが一般的である。しかしながら、ホースの外径はまちまちであるため、準備したものに過不足が生じ、施工に不都合をきたす場合がある。また、対象現場におけるホースの外径を予め調べ、それらに合わせたホースバンドを過不足なく準備することは、非効率的であり、且つ煩わしい作業を必要とする。
【発明の概要】
【発明が解決しようとする課題】
【０００４】
本発明は、上述の事情に基づいてなされたもので、任意の外径のホースを材料に無駄が生じることなく締付固定することができる、ホースバンド固定装置を提供することを目的とする。
【課題を解決するための手段】
【０００５】
本発明のホースバンド固定装置は、ウォーム溝を備えた長尺のバンドを収容し、該バンドを前記ウォーム溝と噛み合って送るクランプネジと、該クランプネジを正逆回転させるモータとを備えたバンド収容具と、前記バンドの先端を下層に、ホースを周回した前記バンドを上層に挿通が可能で、上層の前記バンドのウォーム溝と噛み合って前記バンドを送るクランプネジを備えたクランプ金具と、前記バンド収容具のクランプネジと、前記クランプ金具のクランプネジとを連結する連結具と、を備えたことを特徴とする。
【０００６】
バンド収容具のクランプネジとクランプ金具のクランプネジとは連結具により同期回転し、両クランプネジでバンドを前進または後進させることができる。すなわち、バンド収容具のクランプネジでバンドを前進させてバンドを引き出し、ホースを周回したバンドの先端をクランプ金具の下層に固定し、その後両クランプネジでバンドを後進させ、バンドでホースを締付固定すると共に、引き出したバンドをバンド収容具内に巻き戻すことができる。従って、クランプ金具の近傍で、必要最小限の剰余の長さを残し、バンドを切断することができ、バンドの材料に無駄が生じない。
【発明の効果】
【０００７】
それ故、本発明によれば、任意の外径のホースをバンドで締付固定することができ、且つバンド材料に無駄が生じない。また、モータの駆動力を利用してバンドを締付固定することができるので、手作業と比較して、作業を容易に且つ楽に行うことができる。
【図面の簡単な説明】
【０００８】
【図１】本発明の一実施形態のホースバンド固定装置の説明図である。
【図２】ホースバンドでホースを締付固定した状態例を示す斜視図である。
【図３】クランプ金具の構成例を示す拡大断面図である。
【発明を実施するための形態】
【０００９】
以下、本発明の実施形態について、図１乃至図３を参照して説明する。なお、各図中、同一または相当する部材または要素には、同一の符号を付して説明する。
【００１０】
このホースバンド固定装置は、図１に示すように、ウォーム溝を備えた長尺のバンド１３を巻回して収容するバンド収容具２１を備え、バンド収容具２１はバンド１３をそのウォーム溝と噛み合って送るクランプネジ２３と、該クランプネジを正逆回転させるモータ２４とを備える。従って、モータ２４の正逆回転により、バンド１３を前進または後進させる。バンド収容具２１は、例えば使い始めは３０ｍ程度の長さのバンド１３をフープ状に収容可能であることが好ましい。
【００１１】
そして、ホース１２の外周には、クランプ金具１４が配置され、クランプ金具１４はバンドの先端１３ａを下層に挿通して固定し、ホース１２を周回したバンド１３を上層に挿通し、上層のバンド１３のウォーム溝と噛み合ってバンド１３を送るクランプネジ１５を備えている。そして、クランプ金具１４のクランプネジ１５とバンド収容具２１のクランプネジ２３とが連結具２５により連結される。連結具２５は例えば金属丸棒でよく、その両端にクランプネジ１５の軸１５ａと嵌合する接続部およびクランプネジ２３の軸２３ａと嵌合する接続部を備える。
【００１２】
従って、クランプ金具１４内において、バンド１３のウォーム溝とクランプネジ１５のウォーム歯とが噛み合った状態で、クランプネジ１５を正逆回転させることで、バンド１３を前進または後進させることができ、これを連結具２５を介してモータ２４の駆動力を用いて行うことができる。その時、バンド収容具２１のクランプネジ２３とクランプ金具１４のクランプネジ１５とは同期回転するので、歯の径およびピッチを合わせておくことで、両者は同期してバンド１３を前進または後進させることができる。すなわち、バンド１３の前進で、バンド１３が収容具２１から引き出され、ホース１２の周囲を巻回し、バンド１３の後進で、バンド１３がホース１２を締め込み、バンド１３が収容具２１に巻き戻される。
【００１３】
次に、このホースバンド固定装置を用いたホースバンドの締付固定の手順について説明する。まず、クランプネジ１５を備えたクランプ金具１５を固定対象のホース１２の近傍に配置し、ガイド１６をクランプ金具１５に取り付ける。ガイド１６は固定対象のホースの半径を有する円弧状のガイドであり、バンド先端１３ａをクランプ金具１４を通して挿通し、連結具２５でクランプネジ１５の軸１５ａとクランプネジ２３の軸２３ａとを接続する。そして、モータ２４を正回転させ、クランプネジ１５とクランプネジ２３とを同期正回転することで、金属帯状のバンド１３を前進させ、ガイド１６を通過したバンド１３はガイド１６の曲率半径に塑性変形して延びていく。この時、収容具２１からバンド１３が引き出される。
【００１４】
そして、バンド先端１３ａがホース１２を一周すると、再びクランプ金具１４内に挿通させ、バンド先端１３ａを折り曲げてクランプ金具１４に固定し、連結具２５でクランプネジ１５の軸１５ａとクランプネジ２３の軸２３ａとを接続する（図１参照）。この状態で、ガイド１６を取り外し、モータ２４を逆回転させることで、クランプネジ１５とクランプネジ２３とが同期逆回転し、バンド１３を後進させ、クランプネジ１５でバンド１３によりホース１２を締付固定し、クランプネジ２３により引き出されたバンド１３をバンド収容具２１内に巻き戻す。
【００１５】
クランプネジ１５の逆回転で、バンド１３の後進による締付固定が完了したら、モータ２４の逆回転を停止し、クランプ金具１４の近傍で、必要最小限の剰余の長さを残し、バンド１３を切断する。図２は、上述の装置を用い、金属パイプ等の配管１１の外周にゴム製等のホース端部１２を被覆し、その外周をホースバンド１３で固定した一例を示す。バンド１３の後端１３ｂは必要最小限の剰余の長さを残して切断されている。
【００１６】
これにより、１回のホースバンドの固定が完了する。切断後のバンド１３の先端は、次のホースバンドの締め付けに、バンドの先端１３ａとして用いられる。従って、この装置を用いることで、任意の外径のホースを締め付け固定することができ、且つバンド１３の材料に無駄が生じないホースバンドの固定が行える。
【００１７】
図３は、他の実施形態のクランプ金具の構成例を示す。このクランプ金具１４Ａは、バンドの先端１３ａを下層に挿通し、バンド１３を上層に挿通し、そのウォーム溝１３ｙをクランプネジ１５のウォーム歯１５ｘと噛み合わせる点で、図１に示すクランプ金具１４と共通する。しかしながら、このクランプ金具１４Ａは、上層と下層のバンド１３，１３の間に、上面が平滑で下面にウォーム歯１７ｘを備えた金属板１７を備える。このウォーム歯１７ｘには、図示するような傾斜を持たせておくことが好ましい。
【００１８】
これにより、下層のバンドの先端１３ａは前進時にクランプ金具１４に挿入が容易で、そのウォーム溝１３ｙがウォーム歯１７と噛み合い、バンド１３の後進時に引き抜きが困難となるように固定される。すなわち、図１に示す実施形態のように、バンドの先端１３ａを折り曲げるという作業が不要となり、単にバンドの先端１３ａをクランプ金具１４Ａに挿通するだけで、バンドの先端１３ａをクランプ金具に固定することができる。
【００１９】
これまで本発明の一実施形態について説明したが、本発明は上述の実施形態に限定されず、その技術的思想の範囲内において種々異なる形態にて実施されてよいことは言うまでもない。
【産業上の利用可能性】
【００２０】
本発明のホースバンド固定装置は、各種配管のゴムホース等の接続部で、その外周をホースバンドで締付固定することに利用可能である。
【図１】
2010281354.tif 000003
【図２】
2010281354.tif 000004
【図３】
2010281354.tif 000005